(57)【要約】【課題】  利用者がプレフィードの失敗を迅速に把握する。【解決手段】  原稿の画像を読取る画像読取部３２と、該画像読取部へ複数の原稿を連続して搬送可能な自動原稿送り手段３１とを備えた画像処理装置１０において、前記自動原稿送り手段は、原稿を載置する載置台３１１と、載置台に原稿が載置されたことを検出する原稿検出手段３１２と、載置台に載置された複数の原稿中の一枚を分離する分離手段３１３と、分離された原稿を前記画像読取手段へ搬送する搬送手段３１４と、前記原稿検出手段により原稿が検出されると、前記分離手段を可動して原稿を分離し、分離した原稿を、搬送手段により前記読取部における読取位置に搬送するプレフィード動作を行う制御部とを備え、前記プレフィード中は、所定の機能の受付けを禁止することを特徴とする。【選択図】        図１
2006262309.tif 000002
【特許請求の範囲】
【請求項１】
原稿の画像を読取る画像読取部と、該画像読取部へ複数の原稿を連続して搬送可能な自動原稿送り手段とを備えた画像処理装置において、
前記自動原稿送り手段は、
原稿を載置する載置台と、
載置台に原稿が載置されたことを検出する原稿検出手段と、
載置台に載置された複数の原稿中の一枚を分離する分離手段と、
分離された原稿を前記画像読取手段へ搬送する搬送手段と、
前記原稿検出手段により原稿が検出されると、前記分離手段を可動して原稿を分離し、分離した原稿を、搬送手段により前記読取部における読取位置に搬送するプレフィード動作を行う制御部とを備え、
前記プレフィード中は、所定の機能の受付けを禁止することを特徴とする画像処理装置。
【請求項２】
原稿の画像を読取る画像読取部と、該画像読取部へ複数の原稿を連続して搬送可能な自動原稿送り手段とを備えたスキャナ装置において、
前記自動原稿送り手段は、
原稿を載置する載置台と、
載置台に原稿が載置されたことを検出する原稿検出手段と、
載置台に載置された複数の原稿中の一枚を分離する分離手段と、
分離された原稿を前記画像読取手段へ搬送する搬送手段と、
前記原稿検出手段により原稿が検出されると、前記分離手段を可動して原稿を分離し、分離した原稿を、搬送手段により前記読取部における読取位置に搬送するプレフィード動作を行う制御部とを備え、
前記プレフィード中は、所定の機能の受付けを禁止することを特徴とするスキャナ装置。
【請求項３】
原稿の画像を読取る画像読取部と、
該読取部が読取可能な位置に原稿を順次搬送する自動原稿送り手段を備えた画像処理装置において、
前記自動原稿送り手段は、
原稿を載置可能な載置台と、
該載置台に原稿が載置されたことを検出する原稿検出手段と、
該原稿検出手段の検出により、プレフィード動作を行う制御部とを備え、
前記制御部は、プレフィード動作中に所定の機能の受付けを禁止することを特徴とする画像処理装置。
【請求項４】
装置の操作指示を受付けると共に、装置の状態を通知する操作通知部を備え、
プレフィード動作中に前記所定の機能の指示がなされると、前記操作表示部を介して該機能の受付の無効を通知することを特徴とする請求項３記載の画像処理装置。
【請求項５】
原稿の画像を読取る画像読取部と、
該読取部が読取可能な位置に原稿を順次搬送する自動原稿送り手段と、
装置の操作指示を受付けると共に、装置の状態を通知する操作通知部を備えた画像処理装置において、
前記自動原稿送り手段は、
原稿を載置可能な載置台と、
該載置台に原稿が載置されたことを検出する原稿検出手段と、
該原稿検出手段の検出により、プレフィード動作を行う制御部とを備え、
前記制御部は、プレフィード動作中に所定の機能が指示されると、該機能を受付けプレフィード動作終了後に該機能を実行するとともに、
プレフィード動作中に前記受付けた機能が保留されていることを前記操作表示部を介して通知することを特徴とする画像処理装置。
【請求項６】
前記所定の機能とは、原稿読取動作を含む機能であることを特徴とする請求項３、請求項４および請求項５記載の画像処理装置。
【請求項７】
原稿の画像を読取る画像読取部と、
該読取部が読取可能な位置に原稿を順次搬送する自動原稿送り手段を備えたスキャナ装置において、
前記自動原稿送り手段は、
原稿を載置可能な載置台と、
該載置台に原稿が載置されたことを検出する原稿検出手段と、
該原稿検出手段の検出により、プレフィード動作を行う制御部とを備え、
前記制御部は、プレフィード動作中に所定の機能の受付けを禁止することを特徴とするスキャナ装置。
【請求項８】
装置の操作指示を受付けると共に、装置の状態を通知する操作通知部を備え、
プレフィード動作中に前記所定の機能の指示がなされると、前記操作表示部を介して該機能の受付の無効を通知することを特徴とする請求項７記載のスキャナ装置。
【請求項９】
原稿の画像を読取る画像読取部と、
該読取部が読取可能な位置に原稿を順次搬送する自動原稿送り手段と、
装置の操作指示を受付けると共に、装置の状態を通知する操作通知部を備えたスキャナ装置において、
前記自動原稿送り手段は、
原稿を載置可能な載置台と、
該載置台に原稿が載置されたことを検出する原稿検出手段と、
該原稿検出手段の検出により、プレフィード動作を行う制御部とを備え、
前記制御部は、プレフィード動作中に所定の機能が指示されると、該機能を受付けプレフィード動作終了後に該機能を実行するとともに、
プレフィード動作中に前記受付けた機能が保留されていることを前記操作表示部を介して通知することを特徴とするスキャナ装置。
【請求項１０】
前記所定の機能とは、原稿読取動作を含む機能であることを特徴とする請求項７、請求項８および請求項９記載のスキャナ装置。
【発明の詳細な説明】
【技術分野】
【０００１】
本発明は、自動給紙機能で給紙される原稿の画像を読取る装置であり、特に自動給紙機能においてプレフィード機能を有する画像処理装置およびスキャナ装置に関するものである。
【背景技術】
【０００２】
画像処理装置は、原稿の画像を読取る画像読取部と、複数の原稿の画像を連続して読取るための自動原稿送り機能とを備えており、該機能により順次搬送される原稿の画像をスキャナ部で読取っている。
ところで特許文献１には、自動原稿送り機能が自動原稿送り装置として開示されている。この種の自動給紙機能には、画像読取部で読取り可能な位置に原稿を予め搬送する機能（以降、プレフィードと称す）を設けるようにしてもよく、具体的には、載置台に原稿束がセットされたことを検出すると、当該原稿束において、最下にある原稿から順に、舌片により分離した一枚の原稿をスキャナ部の読取位置に搬送する。スキャナ部で原稿の読取りが終わると、次の原稿が前記したようにスキャナ部の読取位置に搬送される。このプレフィード機能により、原稿束の原稿が順に読取位置に搬送され、スキャナ部で原稿の画像読取りが行われる。
【特許文献１】特開２００３−４６７１３号公報
【発明の開示】
【発明が解決しようとする課題】
【０００３】
ところで、前記したプレフィード機能を備えた画像処理装置を利用する利用者は、原稿束を載置台にセットして、原稿読取りなどの機能指示を行って、プレフィード動作が開始したことを確認すると、その場から立ち去ってしまう。
従って、プレフィード動作の完了を確認することなく、その場を立ち去ることから、プレフィード動作中に、ジャムやフィードミスが生じると、利用者はプレフィードの失敗を迅速に把握することができず、これが問題となっていた。
【０００４】
前記した課題に鑑みて、本発明の目的は、プレフィードの失敗を利用者が迅速に把握可能の画像処理装置およびスキャナ装置を提供することにある。
【課題を解決するための手段】
【０００５】
本発明は、以上の点を解決するために、次の構成を採用する。
【０００６】
原稿の画像を読取る画像読取部と、該画像読取部へ複数の原稿を連続して搬送可能な自動原稿送り手段とを備えた画像処理装置において、自動原稿送り手段は、原稿を載置する載置台と、載置台に原稿が載置されたことを検出する原稿検出手段と、載置台に載置された複数の原稿中の一枚を分離する分離手段と、分離された原稿を前記画像読取手段へ搬送する搬送手段と、原稿検出手段により原稿が検出されると、分離手段を可動して原稿を分離し、分離した原稿を、搬送手段により読取部における読取位置に搬送するプレフィード動作を行う制御部とを備え、プレフィード中は、所定の機能の受付けを禁止することを特徴とする。
【０００７】
原稿の画像を読取る画像読取部と、該画像読取部へ複数の原稿を連続して搬送可能な自動原稿送り手段とを備えたスキャナ装置において、自動原稿送り手段は、原稿を載置する載置台と、載置台に原稿が載置されたことを検出する原稿検出手段と、載置台に載置された複数の原稿中の一枚を分離する分離手段と、分離された原稿を画像読取手段へ搬送する搬送手段と、原稿検出手段により原稿が検出されると、分離手段を可動して原稿を分離し、分離した原稿を、搬送手段により読取部における読取位置に搬送するプレフィード動作を行う制御部とを備え、プレフィード中は、所定の機能の受付けを禁止することを特徴とする。
【０００８】
原稿の画像を読取る画像読取部と、該読取部が読取可能な位置に原稿を順次搬送する自動原稿送り手段を備えた画像処理装置において、自動原稿送り手段は、原稿を載置可能な載置台と、該載置台に原稿が載置されたことを検出する原稿検出手段と、該原稿検出手段の検出により、プレフィード動作を行う制御部とを備え、制御部は、プレフィード動作中に所定の機能の受付けを禁止することを特徴とする。
【０００９】
原稿の画像を読取る画像読取部と、該読取部が読取可能な位置に原稿を順次搬送する自動原稿送り手段と、装置の操作指示を受付けると共に、装置の状態を通知する操作通知部を備えた画像処理装置において、自動原稿送り手段は、原稿を載置可能な載置台と、該載置台に原稿が載置されたことを検出する原稿検出手段と、該原稿検出手段の検出により、プレフィード動作を行う制御部とを備え、制御部は、プレフィード動作中に所定の機能が指示されると、該機能を受付けプレフィード動作終了後に該機能を実行するとともに、プレフィード動作中に前記受付けた機能が保留されていることを操作表示部を介して通知することを特徴とする。
【００１０】
原稿の画像を読取る画像読取部と、該読取部が読取可能な位置に原稿を順次搬送する自動原稿送り手段を備えたスキャナ装置において、自動原稿送り手段は、原稿を載置可能な載置台と、該載置台に原稿が載置されたことを検出する原稿検出手段と、該原稿検出手段の検出により、プレフィード動作を行う制御部とを備え、制御部は、プレフィード動作中に所定の機能の受付けを禁止することを特徴とする。
【００１１】
原稿の画像を読取る画像読取部と、該読取部が読取可能な位置に原稿を順次搬送する自動原稿送り手段と、装置の操作指示を受付けると共に、装置の状態を通知する操作通知部を備えたスキャナ装置において、自動原稿送り手段は、原稿を載置可能な載置台と、該載置台に原稿が載置されたことを検出する原稿検出手段と、該原稿検出手段の検出により、プレフィード動作を行う制御部とを備え、制御部は、プレフィード動作中に所定の機能が指示されると、該機能を受付けプレフィード動作終了後に該機能を実行するとともに、プレフィード動作中に受付けた機能が保留されていることを操作表示部を介して通知することを特徴とする。
【発明の効果】
【００１２】
本発明によれば、プレフィード動作中に、所定の機能を利用者から受付けないようにすることから、利用者にプレフィードが終了するまで当該装置の前に待機させることができ、これによりプレフィード動作中に生じるジャムやフィードミスなどを利用者に迅速に把握させることができる。
【発明を実施するための最良の形態】
【００１３】
以下、本発明の実施形態について、図を用いて詳細に説明する。以下の説明では、各実施の形態に用いる図面について同一の構成要素は同一の符号を付し、かつ重複する説明は可能な限り省略する。
本発明の画像処理装置は、原稿の画像を読取る機能を備えた例えばスキャナ装置、コピー装置、ファクシミリ装置などであり、又は前記した各装置の機能の組合せやプリンタ機能などを追加した複合機能装置である。尚、本実施例では、複合機能装置を例に説明を行う。
【実施例１】
【００１４】
本発明の複合機能装置１０は、図１に示すように、操作パネル部２０と、スキャナ部３０と、スキャナモニタ部４０と、コピー制御部５０と、印刷エンジン部６０と、ネットワークスキャン制御部７０と、ＮＩＣ（Ｎｅｔｗｏｒｋ  Ｉｎｔｅｒｆａｃｅ  Ｃａｒｄ）８０とを備える。
【００１５】
操作パネル部（操作通知部）２０は、図２に示すように、ＬＣＤタッチパネル２１と、スピーカ２２と、操作表示制御部２３と、スタートキーボタン２４と、を備える。
ＬＣＤタッチパネル２１は、ＬＣＤ画面に情報を表示すると共に、利用者が画面上を押下して指示する内容を取得する。
スピーカ２２は、利用者に操作案内を促したり警告などを喚起すために用いられている。
操作表示制御部２３は、前記ＬＣＤタッチパネル２１およびスピーカ２２の統括的な制御を行う。
スタートキーボタン２４は、原稿の画像読取の開始を指示するためのボタンであり、装置の動作モードか複写モードに設定されていた場合、コピー動作を行う。
【００１６】
スキャナ部３０は、ＡＤＦ（Ａｕｔｏ  Ｄｏｃｕｍｅｎｎｔ  Ｆｅｅｄｅｒ）３１と、画像読取部３２と、スキャナ制御部３３とを備える。
画像読取部３２は、所定の読取位置に搬送された原稿の画像をよみとり、画像データを生成する。
【００１７】
ＡＤＦ３１は、図８に示すように、複数の原稿から成る原稿束が配置される載置台３１１と、該載置台に原稿束が配置されたことを検出する原稿検出センサ（原稿検出手段）３１２と、配置された原稿束において最下から原稿を一枚だけ分離して取出すための舌片３１３と、取出した原稿を画像読取部３２における所定の読取位置に搬送する搬送ローラ（搬送手段）３１４と、画像読取部３２で読取開始のタイミングを得るべく、搬送ローラ３１４により搬送される原稿を検出するタイミングセンサ３１５とを備える。
【００１８】
原稿検出センサ３１２により載置台３１１に原稿束が配置されたことを検出すると、舌片３１３により載置台３１１上の原稿束の最下を１枚分離し、分離した原稿を搬送ローラ３１４により、タイミングセンサ３１５を越えた画像読取部３２における所定の読取位置に搬送する。このとき、例えば原稿束が綴じられていると、綴じられた原稿により正常に搬送することができず、ジャムなどが生じてしまう。尚、ジャムの検出は、プレフィード開始後、所定の時間が経過しても、原稿がタイミングセンサ３１５に到達しない場合にジャムと判断する。
【００１９】
通常、原稿が綴じられていると、最初の一枚原稿をプレフィードするだけで、ジャムが生じる。従って、少なくとも最初の一枚の原稿のプレフィードが終了するまで、利用者がその場に待機することで、原稿が綴じられているか否か把握することができる。
【００２０】
スキャナモニタ部４０は、スキャナ部３０の動作状態を監視しており、監視内容を操作パネル部２０に通知する。
印刷エンジン部６０は、画像データに基づいて印刷媒体に画像を形成する。
コピー制御部５０は、操作パネル部２０を介して利用者からのコピー指示を受けると、スキャナ部３０に画像データを取得させ、該画像データを印刷エンジン部６０へ出力し、該印刷エンジン部６０で印刷媒体に画像を形成させる。
【００２１】
ＮＩＣ８０は、図示しないネットワークを介して通信を行うための制御を行う。
ネットワークスキャン制御部７０は、操作パネル部２０を介して利用者からスキャン支持を受けると、スキャナ部３０で原稿の画像データを取得し、画像データの送信制御をＮＩＣ８０に指示する。
【００２２】
次に、実施例１の複合機能装置１０の動作を図３のフローチャートおよび図４のシーケンス図を用いて説明する。
尚、図４のシーケンス図には、利用者、操作パネル部２０、スキャナモニタ部４０およびスキャナ部３０の関係が示されている。
【００２３】
利用者によりＡＤＦ３１の載置台に原稿束がセットされたか否かを原稿検出手段で検出しており（ステップＳ１）、原稿検出手段で原稿束のセットを検出すると、プレフィードが開始される（ステップＳ２）。
【００２４】
プレフィード機能により、配置された原稿束から一枚の原稿を分離して取出し、該原稿が画像読取部３２の読取位置まで搬送される。尚、スキャナ部３０のＡＤＦ３１におけるプレフィード動作はスキャナ制御部３３で管理されており、スキャナモニタ部４０は、スキャナ制御部３３を介してプレフィード動作状態を監視し、監視内容を操作パネル部２０に通知する。この通知を受けた操作パネル部２０は、ＡＤＦ３１において、プレフィード中である場合に、その旨をＬＣＤタッチパネル２１に表示する（ステップＳ３）。
【００２５】
ところで、プレフィード中に、利用者がスタートキーボタン２４を押下してスキャン開始（コピー開始）を指示すると（ステップＳ４）、指示を受けた操作表示制御部２３は、スピーカ２２を制御してキー操作が無効であることを、無効音を鳴動することで利用者に喚起する（ステップS５）。また、必要に応じて、先ほどのキー操作が無効であることを表示する。
【００２６】
ところで、前記したスタートキー操作に対する無効制御は、スキャナモニタ部４０からのプレフィード中であることを示す監視通知に基づいて操作表示制御部２３が行っている。尚、スキャン開始以外の指示、例えばＬＣＤタッチパネル２１を介して読取り解像度の設定変更などのスキャン動作に直接関係ない指示は、プレフィード中であっても受付可能である。
【００２７】
スタートキー操作に対する無効制御により、利用者はスキャン開始指示を行うことができず、スキャン開始を指示できるまで、当該複合機能装置の前で待機しなければならない。
このとき、セットした原稿束が綴られており、プレフィード中にジャムが生じると（ステップＳ６）、スキャナモニタ部４０によりジャム発生が操作パネル部２０に通知される。
【００２８】
通知を受けた操作パネル部２０は、操作表示制御部２３の制御により、ジャムの発生をＬＣＤタッチパネル２１で表示させ（ステップＳ７）、スピーカ２２を鳴動させて、利用者にジャムの発生を通知する。
【００２９】
前記したように、利用者はプレフィードが終了するまで、当該複合機能装置の前で待機していることから、その間にジャムが発生すると、ジャム発生表示およびジャム発生鳴動により、ジャムの発生を迅速に把握することができる。
【００３０】
ところで、スキャナモニタ部４０は、前記したステップＳ４におけるジャムの発生監視を行うと共に、ＡＤＦ３１におけるプレフィード動作の監視も行っており、プレフィード動作の終了を確認すると（ステップＳ８）、その旨を操作パネル部２０に通知する。
プレフィード終了通知を受けた操作パネル部２０は、操作表示制御部２３によりＬＣＤタッチパネル２１のプレフィード中である旨の表示を停止し（ステップＳ９）、プレフィールド終了状態で待機する（ステップＳ１０）。その後、利用者によりスタートキーボタン２４が押下され、スキャン開始が指示されると、指示を受けた操作パネル部２０は、スキャン開始をコピー制御部５０を介してスキャナ部３０に指示する。
【００３１】
指示を受けたスキャナ部３０は、スキャナ制御部３３の制御指示により、画像読取部３２を起動して原稿の画像読取を開始して画像データを生成する。生成した画像データは、印刷エンジン部６０へ送られると、該画像データに基づいて印刷媒体に画像が形成され、原稿に対するコピー処理が行われる（ステップＳ１１）。
【００３２】
前記したように、実施例１の複合機能装置によれば、プレフィード中はスタートキーボタン２４の押下によるスキャン開始指示を受付けないことから、利用者はスキャン開始指示を指示するためにプレフィードが終了するまで、当該複合機能装置の前で待機する必要がある。従って、待機中にジャムが発生すると、利用者はジャム発生表示およびジャム発生鳴動により、ジャムの発生を迅速に把握することができ、該ジャム発生に対する処置を迅速に行うことができる。
【実施例２】
【００３３】
次に、プレフィード中にスタートキーボタン２４の押下によるスキャン開始指示が行われると、利用者に対し当該操作によるスキャン動作が直ちに開始されないことを通知するが、スキャン開始指示を記憶しておき、プレフィードが完了すると、記憶されたスキャン開始指示に従って原稿の読取を開始する複合機能装置を説明する。
実施例２の複合機能装置１００は、図５に示すように、前記した実施例１と同様の操作パネル部２０、スキャナ部３０、スキャナモニタ部４０、コピー制御部５０、印刷エンジン部６０、ネットワークスキャン制御部７０およびＮＩＣ８０を備えており、更に実施例２の特徴であるスキャン開始指示記憶部９０を備えている。
【００３４】
前記した実施例１と同様の機能説明は割愛し、本実施例の特徴であるスキャン開始指示記憶部９０を詳細に説明する。
【００３５】
スキャン開始指示記憶部９０は、プレフィード中に、利用者がスタートキーボタン２４を押下してスキャン開始（コピー開始）を指示すると、指示を受けた操作表示制御部２３により、スキャン開始指示を受けたことを示すスキャン開始指示情報として保持する。
【００３６】
ところで、スキャナ部３０は、スキャン開始指示記憶部９０で保持するスキャン開始指示情報に基づいて画像読取部３２における原稿の読取動作を開始する。具体的にはスキャナ制御部３３は、ＡＤＦ３１におけるプレフィード動作が完了すると、スキャン開始指示記憶部９０を参照し、該スキャン開始指示記憶部９０にスキャン開始指示を受けたことを示すスキャン開始指示情報が保持されていれば、スタートキーボタン２４から入力されるスキャン開始指示を待つこと無く、即座に画像読取部３２に対し、プレフィードが完了して搬送された原稿の画像読取の開始を指示する。
【００３７】
これにより、利用者は、プレフィード完了後に再度スタートキーボタン２４を押下して、スキャン開始を指示する必要がなく、プレフィードが完了すると、自動的にスキャン開始がスキャナ部３０に指示される。
【００３８】
ところで、プレフィード中にスタートキーボタン２４が押下されると、操作表示制御部２３は、スピーカ２２を鳴動させると共に、ＬＣＤタッチパネル２１にスキャン開始が遅延始動する旨を表示し、利用者に注意を喚起する。この喚起により、利用者はプレフィードの動向を注意して見守る切掛ができ、プレフィード中に発生したジャムを迅速に把握することができる。
【００３９】
次に、実施例２の複合機能装置１００の動作を図６のフローチャートおよび図７のシーケンス図を用いて説明する。
尚、図７のシーケンス図には、利用者、操作パネル部２０、スキャナモニタ部４０およびスキャナ部３０の関係が示されている。
【００４０】
利用者によりＡＤＦ３１の載置台に原稿束がセットされたか否かを原稿検出手段で検出しており（ステップＳ２１）、原稿検出手段で原稿束のセットを検出すると、プレフィードが開始される（ステップＳ２２）。
【００４１】
スキャナ部３０のＡＤＦ３１におけるプレフィード動作はスキャナ制御部３３で管理されており、スキャナモニタ部４０は、スキャナ制御部３３を介してプレフィード動作状態を監視し、監視内容を操作パネル部２０に通知する。通知を受けた操作パネル部２０は、プレフィード中である旨をＬＣＤタッチパネル２１に表示する（ステップＳ２３）。
【００４２】
ところで、プレフィード中に、利用者がスタートキーボタン２４を押下してスキャン開始（コピー開始）を指示すると（ステップＳ２４）、操作表示制御部２３は、スピーカ２２を制御してキー操作に伴なうスキャン動作が直ちに開始されない旨の警告音を鳴動することで利用者に注意を喚起する（ステップS２５）。
【００４３】
更に、操作表示制御部２３は、ＬＣＤタッチパネル２１に「プレフィード中なので機能開始を遅延」する旨を表示させる制御を行い（ステップＳ２６）、スキャン開始指示記憶部９０にスキャン開始指示が行われたことを示すスキャン開始指示情報を記憶させる（ステップＳ２７）。
【００４４】
ところで、セットした原稿束が綴られており、プレフィード中にジャムが生じると（ステップＳ２８）、スキャナモニタ部４０によりジャム発生が操作パネル部２０に通知され、該操作パネル部２０の操作表示制御部２３の制御により、ジャムの発生をＬＣＤタッチパネル２１で表示させ（ステップＳ２９）、スピーカ２２を鳴動させて、利用者にジャムの発生を通知する。
【００４５】
前記したように、スタートキーボタン２４が押下されたときに、操作に伴なうスキャン動作が直ちに開始されないことを利用者に注意を喚起していることから、これが切掛となり利用者がプレフィードの動向を注意して見守っている最中に発生したジャムを迅速に把握することができる。
【００４６】
ところで、スキャナモニタ部４０は、前記したステップＳ４におけるジャムの発生監視を行うと共に、ＡＤＦ３１におけるプレフィード動作の監視も行っており、プレフィード動作の終了を確認すると（ステップＳ３０）、その旨を操作パネル部２０に通知する。
プレフィード終了通知を受けた操作パネル部２０は、操作表示制御部２３によりＬＣＤタッチパネル２１のプレフィード中である旨の表示を停止する（ステップＳ３１）。
【００４７】
ところで、ＡＤＦ３１におけるプレフィードの動作状態を管理しているスキャナ制御部３３は、プレフィードの終了を確認すると、スキャン開始指示記憶部９０を参照し、スキャン開始指示がプレフィード中に行われたか否かを確認する（ステップＳ３２）。この確認により、プレフィード中にスキャン開始が既に指示されているとき、スキャナ制御部３３は、その旨をコピー制御部５０に通知すると共に、画像読取部３２に対し原稿の画像読取開始を指示する。コピー制御部５０は、スキャナ部３０および印刷エンジン部６０を統括的に制御して、原稿のコピーを行う（ステップＳ３４）。
【００４８】
このとき、スキャナモニタ部４０により、スキャナ部３０からプレフィードの終了を確認したが通知され、ＬＣＤタッチパネル２１に表示していた「プレフィード中なので機能開始を遅延」する旨の表示を消去する（ステップＳ３３）。
【００４９】
ところで、前記したステップＳ３２において、スキャン開始指示記憶部９０でスキャン開始指示がプレフィード中に行われたことを示すスキャン開始指示情報が保持されていない場合、スキャナ部３０はプレフィールド終了状態で待機する。その後、利用者によりスタートキーボタン２４が押下され、スキャン開始が指示されると（ステップＳ３５）、指示を受けた操作パネル部２０は、スキャン開始をコピー制御部５０を介してスキャナ部３０に指示する。
【００５０】
指示を受けたスキャナ部３０は、スキャナ制御部３３の制御指示により、画像読取部３２を起動して原稿の画像読取を開始して画像データを生成する。生成した画像データは、印刷エンジン部６０へ送られると、該画像データに基づいて印刷媒体に画像が形成され、原稿に対するコピーが行われる（ステップＳ３４）。
【００５１】
前記したように、実施例２の複合機能装置１００によれば、プレフィード中はスタートキーボタン２４の押下があると、操作に伴なうスキャン開始が直ちに実行されない旨を利用者に通知し、スキャン開始指示が行われたことを示すスキャン開始指示情報をスキャン開始指示記憶部９０に記憶させ、プレフィードが完了すると、スキャン開始指示記憶部９０を参照してスキャン開始指示情報が保持されている場合、即座に画像読取部３２に原稿の画像読取の指示が行われることから、プレフィード終了後に利用者がわざわざスタートキーボタン２４を再押下する必要がなく、利便性を向上することができる。
【図面の簡単な説明】
【００５２】
【図１】実施例１の複合機能装置のブロック図である。
【図２】実施例１の操作パネル部の構成図である。
【図３】実施例１の複合機能装置の動作フローチャートである。
【図４】実施例１におけるＡＤＦにおける原稿載置からスタートキー押下までの動作を示すシーケンス図である。
【図５】実施例２の複合機能装置のブロック図である。
【図６】実施例２の複合機能装置の動作フローチャートである。
【図７】実施例２におけるＡＤＦにおける原稿載置からスタートキー押下までの動
【図８】ＡＤＦのブロック図である。
【符号の説明】
【００５３】
１０、１００  複合機能装置
２０  操作パネル部
２１  ＬＣＤタッチパネル
２２  スピーカ
２３  操作表示制御部
３０  スキャナ部
３１  ＡＤＦ
３２  画像読取部
３３  スキャナ制御部
４０  スキャナモニタ部
５０  コピー制御部
６０  印刷エンジン部
７０  ネットワークスキャン制御部
８０  ＮＩＣ
９０  スキャン開始指示記憶部
３１１  載置台
３１２  原稿検出センサ
３１３  舌片
３１４  搬送ローラ
３１５  タイミングセンサ
【図１】
2006262309.tif 000003
【図２】
2006262309.tif 000004
【図３】
2006262309.tif 000005
【図４】
2006262309.tif 000006
【図５】
2006262309.tif 000007
【図６】
2006262309.tif 000008
【図７】
2006262309.tif 000009
【図８】
2006262309.tif 000010